(57)【特許請求の範囲】
【請求項１】
各種遊技演出の演出内容の変化に応じ、当該遊技演出の開始に伴い機前側へ香気を放出する香気放出装置と、前記遊技演出の終了に伴い前記香気放出装置から放出された香気を回収するための香気回収装置と、を備えた遊技機において、
前記香気放出装置には、外気を取り込むための気体供給部と、前記香気を放出するための香気放出部と、互いに異種の香気を供出可能な複数の香気供出部を有する香気供給手段とを含み、各香気供出部には、香気供出部毎に設けられた各香気供出口を開閉状態及び閉鎖状態とする開閉手段がそれぞれに設けられており、
前記香気回収装置には、前記機前面へ放出された香気を回収するための香気回収部と、前記香気回収部を介して回収された香気を通過させて清浄するフィルタ手段とを含み、
前記香気放出装置から香気を機前面側へ強制的に放出させるための気流を発生させるとともに、前記機前面側から前記香気を前記香気回収装置に強制的に回収させるための気流を発生させる気流発生手段と、
前記香気放出装置が前記気流発生手段の作動によって前記気体供給部を介して前記外気を吸引可能な第１状態、及び前記香気回収装置が前記気流発生手段の作動によって前記香気回収部を介して前記香気を吸引可能な第２状態を選択的に切り換える切換手段と、
前記開閉手段、前記気流発生装置、及び前記切換手段の動作を制御する制御手段と、を備え、
前記制御手段は、
前記遊技演出の開始に伴い、当該遊技演出に対応した香気を供出可能な香気供出部を選択し、その選択した香気供出部の開閉手段を開放させて前記香気供出口を開放状態にする制御と、前記切換手段を前記第１状態にする制御と、前記気流発生手段を作動させて気流を発生させる制御と、を実行することにより、前記香気供給手段から供給される香気を前記遊技演出の開始に伴い前記各香気供出部毎における香気供出状態を選択的に制御し、前記香気放出部を介して機前面側に放出される香気を前記遊技演出に対応した香気に調節するとともに、
前記遊技演出の終了に伴い、開放された前記開閉手段を閉鎖させて前記香気供出口を閉鎖状態にする制御と、前記切換手段を前記第２状態にする制御と、前記気流発生手段を作動させて気流を発生させる制御と、を実行することにより、前記遊技演出の開始に伴って前記香気放出装置が放出させた香気であって、機前側に残存している香気を前記香気回収装置に回収させることを特徴とする遊技機。
【請求項２】
図柄組み合わせゲームを表示する図柄表示装置を備え、
前記図柄組み合わせゲームの表示演出内容には、前記図柄表示装置の図柄変動領域において各列の図柄を変動開始させた後、各列に図柄を確定停止させる図柄変動の内容と、前記図柄組み合わせゲームにおける前記図柄変動の内容に合わせて前記図柄変動領域の周りに所定の背景画を表示させる背景変化の内容とがあり、
前記制御手段は、前記背景変化に係る遊技演出の開始に伴い前記香気放出装置から前記背景画に対応する香気を放出させる制御を実行することを特徴とする請求項１に記載の遊技機。
【請求項３】
図柄組み合わせゲームを表示する図柄表示装置と、前記図柄組み合わせゲームの開始により点滅動作して視覚的な演出表示を行うランプと、を備え、
前記制御手段は、前記ランプの点滅動作に係る遊技演出の開始に伴い前記香気放出装置から前記点滅動作に対応した香気を放出させる制御を実行することを特徴とする請求項１に記載の遊技機。
【請求項４】
図柄組み合わせゲームを表示する図柄表示装置と、前記図柄組み合わせゲームの開始により効果音を発して聴覚的な演出を行うスピーカと、を備え、
前記制御手段は、前記スピーカによる効果音の出力に係る遊技演出の開始に伴い前記香気放出装置から前記効果音に対応した香気を放出させる制御を実行することを特徴とする請求項１に記載の遊技機。
【請求項５】
中空状のケーシング構造をなし、機内から払い出された遊技球を貯留する球皿を備え、
前記球皿には、前記気体供給部としての気体供給口と、前記香気放出部としての香気放出口と、前記香気回収部となる香気回収口とが形成されているとともに、前記球皿の内部には、前記気体供出口、前記香気放出口、及び前記香気回収口とを連絡する管路と、前記各香気供出部と、前記気流発生手段と、前記切換手段と、前記フィルタ手段とが設けられており、
前記香気放出装置が前記香気を放出する場合には、前記管路内に配設した前記切換手段としての切換弁が前記第１状態となって前記気体供給口と前記香気放出口が前記管路を介して連通し、前記気体発生手段が発生させた気流により、前記外気が前記気体供給口を介して前記管路内へ吸引されるとともに、前記香気供出部から前記管路内に供出された前記香気が前記香気放出口を通過して機前側へ強制的に放出されるとともに、
前記香気回収装置が前記香気を回収する場合には、前記切換弁が前記第２状態となって前記香気回収口と前記香気放出口が前記管路を介して連通し、前記気体発生手段が発生させた気流により、機前側に残存している香気が前記香気回収口を介して前記管路内へ吸引されるとともに、前記フィルタ手段で無臭の気体に清浄されてから前記香気放出口を通過して機前側に放出されることを特徴とする請求項１〜請求項４のうち何れか一項に記載の遊技機。
【発明の詳細な説明】
【０００１】
【発明の属する技術分野】
本発明は、機前側へ香気を放出する香気放出装置を備えた遊技機に関するものである。
【０００２】
【従来の技術】
従来、この種の遊技機としては、例えば特開平７−１７１２４６号公報に記載されたパチンコ機が知られている。このパチンコ機にあっては、機裏側の下方に箱状の収納ケースが配設されており、当該収納ケース内に香料を封入したボンベが収納されている。また、前記収納ケースの上壁部には通孔が形成されており、この通孔を介して収納ケース内は機裏側から機前側の下球皿開口に至る賞球路に通気連通する構成とされている。そして、前記収納ケース内のボンベのノズルが入賞球の発生に伴いオン動作するソレノイドにより押圧されると、前記下球皿開口から香料噴射に基づく香気が放出される構成としていた。従って、入賞時には効果音による聴覚的効果やランプ点滅等による視覚的効果に加え、香気の放出に伴う臭覚的効果によりゲームへの興趣を高め得るようになっていた。
【０００３】
【発明が解決しようとする課題】
ところが、上記した従来のパチンコ機では、次のような問題があった。即ち、入賞球の発生に伴い機前側へ放出された香気については何ら当該香気を回収するような工夫がされていなかった。そのため、遊技開始後における最初の入賞発生時には、当該入賞発生に伴い放出される香気が新鮮であることから、臭覚的効果も与えられるが、その香気が残り香として漂った状態時に連続入賞発生となった場合には、放出香気の新鮮味が薄れてしまい臭覚的効果が減退するという問題があった。また、もし仮に、前記香気放出を入賞発生時に限定せず遊技機における各種遊技状況の変化時にも行われるよう構成した場合には、残り香が漂った状態を解消しない限り、香気放出により遊技状況が変化したことを遊技者に報知することは困難であった。
【０００４】
本発明は、前述したような事情に鑑みなされたのであり、その目的は、遊技者に対して香気放出による臭覚的効果を常に新鮮な状態で与えることができる遊技機を提供することにある。
【０００５】
【課題を解決するための手段】
前記目的を達成するために、本願請求項１に記載の発明は、各種遊技演出の演出内容の変化に応じ、当該遊技演出の開始に伴い機前側へ香気を放出する香気放出装置と、前記遊技演出の終了に伴い前記香気放出装置から放出された香気を回収するための香気回収装置と、を備えた遊技機において、前記香気放出装置には、外気を取り込むための気体供給部と、前記香気を放出するための香気放出部と、互いに異種の香気を供出可能な複数の香気供出部を有する香気供給手段とを含み、各香気供出部には、香気供出部毎に設けられた各香気供出口を開閉状態及び閉鎖状態とする開閉手段がそれぞれに設けられており、前記香気回収装置には、前記機前面へ放出された香気を回収するための香気回収部と、前記香気回収部を介して回収された香気を通過させて清浄するフィルタ手段とを含み、前記香気放出装置から香気を機前面側へ強制的に放出させるための気流を発生させるとともに、前記機前面側から前記香気を前記香気回収装置に強制的に回収させるための気流を発生させる気流発生手段と、前記香気放出装置が前記気流発生手段の作動によって前記気体供給部を介して前記外気を吸引可能な第１状態、及び前記香気回収装置が前記気流発生手段の作動によって前記香気回収部を介して前記香気を吸引可能な第２状態を選択的に切り換える切換手段と、前記開閉手段、前記気流発生装置、及び前記切換手段の動作を制御する制御手段と、を備え、前記制御手段は、前記遊技演出の開始に伴い、当該遊技演出に対応した香気を供出可能な香気供出部を選択し、その選択した香気供出部の開閉手段を開放させて前記香気供出口を開放状態にする制御と、前記切換手段を前記第１状態にする制御と、前記気流発生手段を作動させて気流を発生させる制御と、を実行することにより、前記香気供給手段から供給される香気を前記遊技演出の開始に伴い前記各香気供出部毎における香気供出状態を選択的に制御し、前記香気放出部を介して機前面側に放出される香気を前記遊技演出に対応した香気に調節するとともに、前記遊技演出の終了に伴い、開放された前記開閉手段を閉鎖させて前記香気供出口を閉鎖状態にする制御と、前記切換手段を前記第２状態にする制御と、前記気流発生手段を作動させて気流を発生させる制御と、を実行することにより、前記遊技演出の開始に伴って前記香気放出装置が放出させた香気であって、機前側に残存している香気を前記香気回収装置に回収させることを要旨とした。
【０００６】
また、本願請求項２に記載の発明は、請求項１に記載の遊技機において、図柄組み合わせゲームを表示する図柄表示装置を備え、前記図柄組み合わせゲームの表示演出内容には、前記図柄表示装置の図柄変動領域において各列の図柄を変動開始させた後、各列に図柄を確定停止させる図柄変動の内容と、前記図柄組み合わせゲームにおける前記図柄変動の内容に合わせて前記図柄変動領域の周りに所定の背景画を表示させる背景変化の内容とがあり、前記制御手段は、前記背景変化に係る遊技演出の開始に伴い前記香気放出装置から前記背景画に対応する香気を放出させる制御を実行することを要旨とした。
【０００７】
また、本願請求項３に記載の発明は、請求項１に記載の遊技機において、図柄組み合わせゲームを表示する図柄表示装置と、前記図柄組み合わせゲームの開始により点滅動作して視覚的な演出表示を行うランプと、を備え、前記制御手段は、前記ランプの点滅動作に係る遊技演出の開始に伴い前記香気放出装置から前記点滅動作に対応した香気を放出させる制御を実行することを要旨とした。
【０００８】
また、本願請求項４に記載の発明は、請求項１に記載の遊技機において、図柄組み合わせゲームを表示する図柄表示装置と、前記図柄組み合わせゲームの開始により効果音を発して聴覚的な演出を行うスピーカと、を備え、前記制御手段は、前記スピーカによる効果音の出力に係る遊技演出の開始に伴い前記香気放出装置から前記効果音に対応した香気を放出させる制御を実行することを要旨とした。
【０００９】
また、本願請求項５に記載の発明は、請求項１〜請求項４のうち何れか一項に記載の遊技機において、中空状のケーシング構造をなし、機内から払い出された遊技球を貯留する球皿を備え、前記球皿には、前記気体供給部としての気体供給口と、前記香気放出部としての香気放出口と、前記香気回収部となる香気回収口とが形成されているとともに、前記球皿の内部には、前記気体供出口、前記香気放出口、及び前記香気回収口とを連絡する管路と、前記各香気供出部と、前記気流発生手段と、前記切換手段と、前記フィルタ手段とが設けられており、前記香気放出装置が前記香気を放出する場合には、前記管路内に配設した前記切換手段としての切換弁が前記第１状態となって前記気体供給口と前記香気放出口が前記管路を介して連通し、前記気体発生手段が発生させた気流により、前記外気が前記気体供給口を介して前記管路内へ吸引されるとともに、前記香気供出部から前記管路内に供出された前記香気が前記香気放出口を通過して機前側へ強制的に放出されるとともに、前記香気回収装置が前記香気を回収する場合には、前記切換弁が前記第２状態となって前記香気回収口と前記香気放出口が前記管路を介して連通し、前記気体発生手段が発生させた気流により、機前側に残存している香気が前記香気回収口を介して前記管路内へ吸引されるとともに、前記フィルタ手段で無臭の気体に清浄されてから前記香気放出口を通過して機前側に放出されることを要旨とした。
【００１０】
【発明の実施の形態】
以下、本発明を上球皿の内部に香気回収装置を兼用する香気放出装置（以下、「香気放出・回収装置」という。）を備えたパチンコ遊技機（以下、「遊技機」ともいう。）に具体化した実施形態を図面に従って説明する。
【００１１】
図１に略示するように、本実施形態に係る遊技機１０は機体の外郭をなす外枠１１の開口前面側に複数種の遊技機構成部材を搭載セットした中枠１２が開閉及び着脱自在に組み付けられている。中枠１２の前面側には、機内部に配置された遊技盤１３を透視保護するためのガラス枠を備えた前枠１４が横開き状態で開閉可能に組付け整合されており、この前枠１４の下側には、上球皿１５が中枠１２に対して横開き状態で開閉可能に組付け整合されている。また、中枠１２の前面側において、前記上球皿１５の組み付け整合領域よりも下方には、打球発射装置１６と下球皿１７が装着されている。そして、外枠１１の開口前面側において、中枠１２の組み付け整合領域（即ち、中枠設置部位）よりも下方領域は、遮蔽板１８にて覆われた構成となっている。なお、前記下球皿１７における前面側左方位置（打球発射装置１６と反対側位置）には灰皿１７ａが設けられている。
【００１２】
前記遊技盤１３の中央部やや上側には機裏側の図柄制御基板１９（図３参照）からの制御指令に基づき所定の図柄組み合わせゲームを行ってリーチ状態等を演出表示するための図柄表示装置２０が配置されている。また、前枠１４の前面側上部領域及び遊技盤１３の左右両側領域には機裏側のランプ制御基板２１（図３参照）からの制御指令に基づき多種多様に点滅動作して視覚的な演出表示を行うための各種ランプ２２が配置されている。また、前記遮蔽板１８には多数の小孔からなる音放出口２３が二箇所形成されており、各音放出口２３に位置対応して遮蔽板１８の裏面側には機裏側の音声制御基板２４（図３参照）からの制御指令に基づき各種音声を発して聴覚的な遊技演出を行うためのスピーカ２５（図３参照）が配置されている。
【００１３】
前記上球皿１５は、全体が合成樹脂にて形成された内部が中空状をなす正面視略長方形状のケーシング構造をなしている。即ち、図１及び図２に示すように、上球皿１５は、皿部材２６、カバー部材２７、保持板２８及び底板２９にて全体概要が構成されている。前記皿部材２６は、上球皿１５の上面部を構成する部材であり、上球皿１５へ機内から払い出された遊技球を一旦貯留する部位である。カバー部材２７は、上球皿１５の前面部を構成する部材であり、図２から理解されるように前面側へ膨出するように湾曲して形成されている。また、保持板２８及び底板２９は、上球皿１５の裏面部及び底面部を構成する部材であり、それぞれ平板状に形成されている。
【００１４】
前記上球皿１５におけるカバー部材２７には、図１に示すように、正面から見て当該カバー部材２７の左右方向長さをほぼ三等分する二箇所に多数の小孔からなる香気放出口３０と香気回収口３１が形成されている。即ち、前記下球皿１７における灰皿１７ａの上方に位置させて開口されている方が香気回収口３１である。また、前記上球皿１５における保持板２８には、前記カバー部材２７における香気回収口３１と前後方向で対応する位置に円孔状をなす気体供給口３２が形成されている。そして、この気体供給口３２には保持板２８の裏面側において機裏側の外気を導入可能に構成された気体供給管３３が接続されている。なお、以下に記載する上球皿１５の内部構成の説明では、図２における左側を上流側ともいい、同じく右側を下流側ともいう。
【００１５】
図２に示すように、前記上球皿１５内において、前記香気回収口３１と気体供給口３２とを前後方向に結ぶ位置よりも右側（即ち、下流側）寄りの位置には、気体清浄手段としてのフィルタ装置３４が配置されている。そして、このフィルタ装置３４の左側（即ち、上流側）には平面視Ｔ字状をなす上流側管路３５が前記フィルタ装置３４の上流側接続口（図示略）と香気回収口３１及び気体供給口３２との間を連絡するように配設されている。また、上流側管路３５における管路分岐部内には図２に実線で示す第１位置と二点鎖線で示す第２位置との二位置間で開閉動作可能に構成された切換弁３６が配設されている。従って、前記切換弁３６が第１位置と第２位置との二位置間で開閉動作することで、下流側の前記フィルタ装置３４へは、気体供給口３２（気体供給管３３）からの供給気体（空気等）又は香気回収口３１からの流入気体（機前側の残存香気等）の何れか一方が選択的に送られる。
【００１６】
図２に示すように、前記上球皿１５内において、前記フィルタ装置３４よりも下流側位置には所定容量をなす混合室３７が上流側隔壁３８と下流側隔壁３９により区画形成されている。また、混合室３７内にはモータ４０により回転駆動される気流発生手段としてのファン４１が配置されている。そして、この混合室３７の左側（即ち、上流側）には直管状をなす連結管路４２が混合室３７内とフィルタ装置３４の下流側接続口（図示略）とを連絡するように配設されている。
【００１７】
また、図２に示すように、前記連結管路４２の周囲には前記混合室３７と上流側隔壁３８を境にして隣接するように複数の香剤収容室（香気供出部）４３が形成されている。これら各香剤収容室４３内には互いに異種の香気を発する複数種の香剤（図示略）が各香剤収容室４３に一種類ずつ分別収容されている。また、図２に点線にて略示するように、各香剤収容室４３には収容されている香剤を加熱することで香気の発生を促進させるためのヒータ（香気供出機能促進手段）４４が設けられている。なお、本実施形態では、図２に示すように香剤収容室４３を２室形成した場合を例示しており、これら複数の香剤収容室４３により香気供給手段が構成されている。
【００１８】
図２に示すように、前記混合室３７の上流側隔壁３８には各香剤収容室４３と対応する位置に香気供出口４５が貫通形成されている。また、各香気供出口４５には図示しないソレノイド等により開閉駆動されるシャッタ４６が開閉装置として設けられている。従って、複数ある各香剤収容室４３のうち何れか一つの香剤収容室４３のシャッタ４６のみが開放された状態では、当該一つの香剤収容室４３に収容されている香剤から発せられる香気のみが混合室３７内に供出される。また、２つ以上の香剤収容室４３のシャッタ４６が同時に開放された状態では、当該各香剤収容室４３に分別収容されている各種香剤から発せられる香気が混合室３７内でミックスされて新規な香気が生成される。
【００１９】
また、図２に示すように、前記混合室３７の下流側隔壁３９には前記連結管路４２と同軸配置となる位置に貫通孔４７が形成され、当該貫通孔４７には図示しないソレノイド等により開閉駆動されるシャッタ４８が設けられている。そして、前記下流側隔壁３９の右側には平面視Ｌ字状をなす下流側管路４９が前記貫通孔４７と前記香気放出口３０との間を連絡するように配設されている。従って、前記貫通孔４７のシャッタ４８が開放された状態で前記モータ４０にてファン４１が回転駆動されると、混合室３７内から下流側管路４９を介して香気等の気体が香気放出口３０から機前側へ強制的に放出される。
【００２０】
一方、機裏側には遊技機１０における遊技内容を統括して制御する制御部としての主制御基板５０（図３参照）が設けられている。そして、この主制御基板５０に対して前記図柄制御基板１９とランプ制御基板２１及び音声制御基板２４は接続されている。即ち、図柄制御基板１９等は主制御基板５０からの信号入力に基づき各々の制御指令を図柄表示装置２０等に発する構成とされている。
【００２１】
また、図３に示すように、前記主制御基板５０には、前記切換弁３６、前記各香気供出口４５の各シャッタ４６、前記貫通孔４７のシャッタ４８、前記ヒータ４４及び前記モータ４０の各駆動部（ソレノイド等）が接続されている。即ち、前記切換弁３６や各シャッタ４６，４８は主制御基板５０からの制御信号に基づき開閉駆動される。また、前記ヒータ４４は主制御基板５０からの制御信号に基づき加熱状態又は非加熱状態とされる。さらに、前記モータ４０は主制御基板５０からの制御信号に基づき駆動制御され、前記ファン４１を回転状態又は非回転状態とするようになっている。
【００２２】
そして、本実施形態では、前記各香気供出口４５の各シャッタ４６と主制御基板５０とを含んでなる構成要素により香気を遊技状況の変化に伴い調整する香気調整手段が構成されている。また、気流発生手段としても機能する前記ファン４１と前記混合室３７とにより香気混合手段が構成されている。また、前記上球皿１５内において、気体供給口３２又は香気回収口３１と香気放出口３０との間に配設された各管路３５，４２，４９及び各香剤収容室４３等の各構成要素により前記香気放出・回収装置が構成されている。
【００２３】
次に、以上のように構成された本実施形態に係る遊技機１０の作用を説明する。なお、以下の説明においては、遊技機１０における各種遊技状況の変化のうち図柄表示装置２０における表示演出内容の変化に伴い前記香気放出・回収装置が作動する場合を例にして説明する。また、作動開始の前提として、前記香気放出・回収装置では、切換弁３６が図２に実線で示す第１位置にあり、前記各香気供出口４５の各シャッタ４６及び貫通孔４７のシャッタ４８はそれぞれ閉鎖されているものとする。
【００２４】
さて、遊技中に打球発射装置１６から遊技盤１３上へ発射された遊技球が始動入賞口へ入球すると、その始動入賞球の検出に基づき主制御基板５０からは予め設定記憶されている複数パターンのうち何れか一つのパターンに基づく制御信号が図柄制御基板１９へ出力される。即ち、主制御基板５０には、図柄表示装置２０での図柄組み合わせゲームにおける表示演出内容（図柄変動、背景変化等）を特定するためのパターンが複数種類記憶されている。例えば、図柄変動に関しては、各列の図柄を変動開始させた後に最終的にどの状態（例えば、大当たり状態、はずれ状態等）で確定停止させるのかが各パターン毎に決められている。また、背景変化に関しては、図柄組み合わせゲームにおける図柄変動領域５１の周りにどのような背景画５２をどのようなタイミングで表示させるのかが各パターン毎に決められている。そして、前記主制御基板５０には、それら各変動パターンのうち何れか一つの変動パターンを選択するための判定用乱数テーブルというものが記憶されている。
【００２５】
従って、始動入賞球が検出された場合、主制御基板５０からは前記判定用乱数テーブルに基づき選択された一つの変動パターン（以下、「選択パターン」という。）により特定された図柄変動及び背景変化を行わせるための制御信号が図柄制御基板１９へ出力される。すると、当該信号に対応した図柄制御信号が図柄制御基板１９から図柄表示装置２０に出力され、図柄表示装置２０では、前記選択パターンの特定内容に従った図柄変動が所定時間だけ表示演出される。また、その図柄変動の表示演出に合わせて前記選択パターンの特定内容に従った背景変化が所定のタイミングで表示演出される。そこで、以下では、前記選択パターンの特定内容に従った表示演出内容（遊技状況の変化）のうち、特に「背景変化」に対応させて香気放出・回収装置を作動させる実施例（以下、「実施例１」という。）について、まず説明する。そして、その後に前記選択パターンの特定内容に従った表示演出内容（遊技状況の変化）のうち、特に「図柄変動」に対応させて香気放出・回収装置を作動させる実施例（以下、「実施例２」という。）について説明する。
【００２６】
［実施例１］
さて、この実施例１では、図柄表示装置２０における図柄変動及び背景変化が変動パターンＡ１〜Ａ２という２つの変動パターンに従って各別に表示演出される場合を例示するものとする。そして、各変動パターンＡ１，Ａ２における表示演出の特定内容において背景変化の特定内容は次のとおりとする。即ち、変動パターンＡ１では、図４（ａ）（ｂ）に示すように、始動入賞球の検出に伴い図柄変動が開始されると、図柄変動領域５１の周りに二つの背景画が入れ替わりに表れる。例えば、桜などの「花」の背景画５２が表示された後に、林檎などの「果物」の背景画５２が入れ替わりに表示される。また、変動パターンＡ２では、図４（ａ）〜（ｃ）に示すように、同じく図柄変動が開始されると、図柄変動領域５１の周りに三つの背景画が入れ替わりに表れる。例えば、桜などの「花」の背景画５２が表示された後に、林檎などの「果物」の背景画５２が入れ替わりに表示され、その後、さらに桜などの「花」と林檎などの「果物」の両方の背景画５２が同時に表示される。
【００２７】
いま仮に、前記各変動パターンＡ１，Ａ２のうち変動パターンＡ１が主制御基板５０にて選択された場合、前記図柄表示装置２０では図柄変動が開始されると共に、その図柄変動領域５１の周りには先ず「花」の背景画５２が表示演出される（図４（ａ））。そして、この「花」の背景画５２が消えると入れ替わりに、図柄変動領域５１の周りには「果物」の背景画５２が表示演出される（図４（ｂ））。すると、この図柄表示装置２０での「花」の背景画５２及び「果物」の背景画５２の表示演出の入れ替わり変化に同期して、前記香気放出・回収装置では次のような作動が開始される。
【００２８】
即ち、まず主制御基板５０からは、前記図柄表示装置２０での「花」の背景画５２の表示演出に同期して、複数（２つ）ある香剤収容室４３のうちで「花」の香りを発する香剤が収容された一つの香剤収容室（以下、「第１香剤収容室」ともいう。）４３のシャッタ４６を開放させるための信号が出力される。すると、この信号に基づき前記第１香剤収容室４３の香気供出口４５のシャッタ４６が開放動作される。また、同時に主制御基板５０からは前記第１香剤収容室４３のヒータ４４を加熱状態とするための信号が出力され、当該ヒータ４４が加熱されることで前記香剤からは花の香りが盛んに発生し、この花の香り付けがされた香気（第１香気）が香気供出口４５から混合室３７内へ流入する。
【００２９】
すると次に、前記主制御基板５０からは前記モータ４０に回転駆動信号が出力されると共に、前記貫通孔４７のシャッタ４８を開放させるための信号が出力される。すると、前記混合室３７内でファン４１が回転することで気流が発生し、機裏側の外気（空気）が気体供給管３３、気体供給口３２、上流側管路３５、フィルタ装置３４及び連結管路４２を介して混合室３７へ強制的に吸引される。そして、混合室３７内に漂っている前記花の香気（第１香気）がファン４１の回転により下流側管路４９と香気放出口３０を通過して機前側へ強制的に放出される。
【００３０】
その一方、前記図柄表示装置２０での「花」の背景画５２の表示演出が終わると、主制御基板５０からは前記第１香剤収容室４３の香気供出口４５のシャッタ４６を閉鎖させるための信号が出力される。また、同時に前記切換弁３６を第１位置から図２に二点鎖線で示す第２位置へ移動させるための信号が出力される。そのため、機前側に残存して漂っている前記花の香気（第１香気）は前記ファン４１の回転に基づく吸引力で香気回収口３１から上球皿１５内の上流側管路３５内に強制的に吸引・回収される。そして、吸引・回収された前記花の香気（第１香気）はフィルタ装置３４を通過することで花の香り付けが除去され、無臭の気体とされる。そして、前記ファン４１の回転による気流に従い、前記無臭の気体（空気）は連結管路４２、混合室３７、下流側管路４９及び香気放出口３０から機前側へ放出される。
【００３１】
そして次に、前記図柄表示装置２０で「果物」の背景画５２が入れ替わり表示演出されると、その「果物」の背景画５２の表示演出に同期して主制御基板５０からは次のような信号が出力される。即ち、複数（２つ）ある香剤収容室４３のうち前記第１香剤収容室４３とは異なるもう片方の香剤収容室（以下、「第２香剤収容室」ともいう。）４３のシャッタ４６を開放させるための信号が出力される。なお、この第２香剤収容室４３内には「果物」の香気を発する香剤が収容されているものとする。また同時に、主制御基板５０からは、前記第２香剤収容室４３のヒータ４４を加熱状態とするための信号と、前記切換弁３６を第２位置から図２に実線で示す第１位置へ移動させるための信号が出力される。
【００３２】
すると、前記主制御基板５０からの各信号に基づき、前記切換弁３６が第１位置へ移動すると共に、前記第２香剤収容室４３の香気供出口４５のシャッタ４６が開放動作され、また同時に、第２香剤収容室４３のヒータ４４が加熱される。そのため、当該ヒータ４４が加熱されることで前記香剤からは「果物」の香りが盛んに発生し、この果物の香り付けがされた香気（第２香気）が香気供出口４５から混合室３７内へ流入する。すると、前述した「花」の背景画５２の表示演出に同期して花の香気（第１香気）を放出した場合と同様に、その後、前記貫通孔４７のシャッタ４８が開放駆動されると共に、モータ４０によりファン４１が回転駆動される。そして、混合室３７内に漂っている前記果物の香気（第２香気）がファン４１の回転により下流側管路４９と香気放出口３０を通過して機前側へ強制的に放出される。
【００３３】
そして、前記図柄表示装置２０での「果物」の背景画５２の表示演出が終わると、主制御基板５０からは前記第２香剤収容室４３の香気供出口４５のシャッタ４６を閉鎖させるための信号が出力される。また、同時に前記切換弁３６を第１位置から第２位置へ移動させるための信号が出力される。そのため、機前側に残存して漂っている前記果物の香気（第２香気）が前記ファン４１の回転に基づく吸引力により香気回収口３１から上球皿１５内の上流側管路３５内に強制的に吸引・回収される。そして、以後同様に、吸引・回収された前記果物の香気（第２香気）はフィルタ装置３４を通過することで果物の香り付けが除去され、無臭の気体とされる。そして、前記ファン４１の回転による気流に従い、前記無臭の気体（空気）は連結管路４２、混合室３７、下流側管路４９及び香気放出口３０から機前側へ放出される。
【００３４】
このように、前記図柄表示装置２０で図柄組み合わせゲームが開始されると、各背景画５２の表示演出開始に伴い機前側へ各種香気（第１香気、第２香気）が放出される。従って、図柄表示装置２０での図柄組み合わせゲーム開始に伴い、遊技者は、効果音による聴覚的効果やランプ点滅等による視覚的効果に加えて、背景変化の内容に対応した各種香気（第１香気、第２香気）放出に伴う臭覚的効果により、ゲームへの興趣を高めることができる。その一方、機前側へ放出された各種香気（第１香気、第２香気）は各々が対応する各背景画５２の表示演出終了に伴って、その都度、吸引回収される。従って、遊技者に対しては、前記各種香気（第１香気、第２香気）の放出に伴う臭覚的効果を常に新鮮な状態で提供可能とされる。また、前記香気回収口３１は下球皿１７に設けられた灰皿１７ａの上方に位置しているため、例え灰皿１７ａに吸いかけのタバコが置かれていたとしても、その紫煙は前記香気回収口３１から前記各香気（第１香気、第２香気）と共に強制的に吸引・回収される。
【００３５】
次に、前記始動入賞球の検出に基づき主制御基板５０において変動パターンＡ２が選択された場合の香気放出・回収に係る作用を説明する。この場合、図柄表示装置２０では、図柄変動が開始されると、前記変動パターンＡ１の場合と同様に、図柄変動領域５１の周りに「花」の背景画５２が先ず表示演出される（図４（ａ））。そして、この「花」の背景画５２の表示演出が終わると、入れ替わりに「果物」の背景画５２が表示演出される（図４（ｂ））。従って、香気放出・回収装置では、これら「花」の背景画５２及び「果物」の背景画５２の各表示演出の開始タイミングと終了タイミングに同期して、前記変動パターンＡ１の場合と同様に、花の香気（第１香気）及び果物の香気（第２香気）の放出及び吸引・回収の作動をする。
【００３６】
そして、この変動パターンＡ２では、前記「果物」の背景画５２の表示演出が終わり、果物の香気（第２香気）が吸引・回収されると、図柄表示装置２０の図柄変動領域５１の周りに「花」と「果物」の両方の背景画５２が同時に表示演出される（図４（ｃ））。すると、主制御基板５０からは、前記図柄表示装置２０での「花」と「果物」の両方の背景画５２の表示演出に同期して、「花」と「果物」の各香気を発する香剤をそれぞれ収容した複数の香剤収容室（第１香剤収容室及び第２香剤収容室）４３のシャッタ４６をそれぞれ開放させるための信号が出力される。そのため、前記複数の香剤収容室４３の各香気供出口４５のシャッタ４６が一斉に開放動作されると共に、主制御基板５０からは前記各香剤収容室４３の各ヒータ４４を加熱状態とするための信号が出力される。
【００３７】
そして、当該各ヒータ４４が加熱されることで前記各香剤収容室４３からは、花の香気と果物の香気という異種の香気が混合室３７内へ流入して混ざり合い、より一層甘い香り付けがされたミックス香気（第３香気）が生成される。そして、以後は、前記花の香気（第１香気）及び果物の香気（第２香気）を放出した場合と同様に、前記貫通孔４７のシャッタ４８が開放駆動されると共にモータ４０によりファン４１が回転駆動される。そして、混合室３７内で混合生成された甘い香り付けのミックス香気（第３香気）がファン４１の回転により下流側管路４９と香気放出口３０を通過して機前側へ強制的に放出される。
【００３８】
そして、前記図柄表示装置２０での「花」と「果物」の両方の背景画５２の表示演出が終わると、主制御基板５０からは前記各香剤収容室４３の香気供出口４５のシャッタ４６を全て閉鎖させるための信号が出力される。また、同時に前記切換弁３６を第１位置から第２位置へ移動させるための信号が出力される。そのため、機前側に残存して漂っている前記ミックス香気（第３香気）が前記ファン４１の回転に基づく吸引力により香気回収口３１から上球皿１５内の上流側管路３５内に強制的に吸引・回収される。そして、以後同様に、吸引・回収された前記ミックス香気（第３香気）は当該香気の香り付けがフィルタ装置３４を通過することで除去され、無臭の気体とされる。そして、前記ファン４１の回転による気流に従い、前記無臭の気体（空気）は連結管路４２、混合室３７、下流側管路４９及び香気放出口３０から機前側へ放出される。
【００３９】
従って、この場合も、遊技者は、前記変動パターンＡ１の場合と同様に、図柄表示装置２０での図柄組み合わせゲームの開始に伴い、前記聴覚的効果及び視覚的効果に加えて、背景変化の内容に対応した各種香気（第１〜第３香気）放出に伴う臭覚的効果により、ゲームへの興趣を高めることができる。しかも、この変動パターンＡ２の場合は、前記変動パターンＡ１の場合と異なり、複数の背景画（花と果物）５２が同時に表示演出された際に、各背景画５２に対応した各種香気（第１香気と第２香気）を混合して生成されたミックス香気（第３香気）が放出される。そのため、その複数回に亘る更なる異種の臭覚的効果により、遊技者は、ゲームに対してさらに一層興趣を抱くようになる。また、遊技者に対しては、前記変動パターンＡ１の場合と同様に、各香気（第１〜第３香気）を放出した際に、それぞれの香気放出に伴う臭覚的効果を常に新鮮な状態で提供可能とされる。
【００４０】
［実施例２］
次に、実施例２について説明する。この実施例２では、図柄表示装置２０における図柄変動及び背景変化が変動パターンＢ１，Ｂ２という２つの変動パターンに従って各別に表示演出される場合を例示するものとする。そして、各変動パターンＢ１，Ｂ２における表示演出の特定内容において図柄変動の特定内容は次のとおりとする。即ち、変動パターンＢ１では、図５（ａ）（ｂ）に示すように、始動入賞球の検出に伴い図柄変動が開始されると、図柄変動領域５１では３列ある図柄列のうち左右２列の図柄が同一図柄で停止してリーチ状態を形成した後、更にスーパーリーチ（本実施例ではキャラクタが登場する例）に発展する。また、変動パターンＢ２では、図５（ａ）〜（ｃ）に示すように、同じく図柄変動が開始されると、図柄変動領域５１では先ずリーチ状態を形成した後、さらにスーパーリーチに発展し、その後、大当たり状態になる。
【００４１】
さて、いま仮に、前記各変動パターンＢ１，Ｂ２のうち変動パターンＢ１が主制御基板５０にて選択された場合、前記図柄表示装置２０では図柄変動領域５１で各列図柄が変動を開始する。そして、所定の変動時間が経過すると、左右２列の両図柄が同一図柄で停止し、中央の列の図柄だけが変動し続けるリーチ状態が表示演出される（図５（ａ））。すると、前記図柄表示装置２０でのリーチ状態の表示演出に同期して、前記香気放出装置では次のような作動が開始される。即ち、主制御基板５０からは複数（２つ）ある香剤収容室４３のうちで第１香気（例えば、「花」の香り）を発する香剤が収容された一つの香剤収容室（第１香剤収容室）４３のシャッタ４６を開放させるための信号が出力される。すると、この信号に基づき前記第１香剤収容室４３の香気供出口４５のシャッタ４６が開放動作される。また、同時に主制御基板５０からは前記第１香剤収容室４３のヒータ４４を加熱状態とするための信号が出力され、当該ヒータ４４が加熱されることで前記香剤からは花の香りが盛んに発生し、この花の香り付けがされた香気（第１香気）が香気供出口４５から混合室３７内へ流入する。
【００４２】
すると次に、前記主制御基板５０からは前記モータ４０に回転駆動信号が出力されると共に、前記貫通孔４７のシャッタ４８を開放させるための信号が出力される。すると、前記混合室３７内でファン４１が回転することで気流が発生し、機裏側の外気（空気）が気体供給管３３、気体供給口３２、上流側管路３５、フィルタ装置３４及び連結管路４２を介して混合室３７へ強制的に吸引される。そして、混合室３７内に漂っている前記花の香気（第１香気）がファン４１の回転により下流側管路４９と香気放出口３０を通過して機前側へ強制的に放出される。
【００４３】
その一方、前記図柄表示装置２０での図柄変動の表示演出内容が、リーチ状態からスーパーリーチ状態に発展する際には、その表示演出内容の変化タイミングに合わせて、主制御基板５０からは、先ず前記第１香剤収容室４３の香気供出口４５のシャッタ４６を閉鎖させるための信号が出力される。また、同時に前記切換弁３６を第１位置から図２に二点鎖線で示す第２位置へ移動させるための信号が出力される。そのため、機前側に残存して漂っている花の香気（第１香気）は前記ファン４１の回転に基づく吸引力で香気回収口３１から上球皿１５内の上流側管路３５内に強制的に吸引・回収される。そして、吸引・回収された前記花の香気（第１香気）はフィルタ装置３４を通過することで花の香り付けが除去され、無臭の気体とされる。そして、前記ファン４１の回転による気流に従い、前記無臭の気体（空気）は連結管路４２、混合室３７、下流側管路４９及び香気放出口３０から機前側へ放出される。
【００４４】
そして次に、前記図柄表示装置２０での図柄変動の表示演出内容がリーチ状態からスーパーリーチ状態に発展すると、そのスーパーリーチ状態への発展に伴い主制御基板５０からは次のような信号が出力される。即ち、複数（２つ）ある香剤収容室４３のうち前記第１香剤収容室４３とは異なるもう片方の香剤収容室（第２香剤収容室）４３のシャッタ４６を開放させるための信号が出力される。なお、この第２香剤収容室４３内には「果物」の香気を発する香剤が収容されているものとする。また同時に、主制御基板５０からは、前記第２香剤収容室４３のヒータ４４を加熱状態とするための信号と、前記切換弁３６を第２位置から図２に実線で示す第１位置へ移動させるための信号が出力される。
【００４５】
すると、前記主制御基板５０からの各信号に基づき、前記切換弁３６が第１位置へ移動すると共に、前記第２香剤収容室４３の香気供出口４５のシャッタ４６が開放動作され、また同時に、第２香剤収容室４３のヒータ４４が加熱される。そのため、当該ヒータ４４が加熱されることで前記香剤からは「果物」の香りが盛んに発生し、この果物の香り付けがされた香気（第２香気）が香気供出口４５から混合室３７内へ流入する。すると、前述したリーチ状態の表示演出に同期して花の香気（第１香気）を放出した場合と同様に、その後、前記貫通孔４７のシャッタ４８が開放駆動されると共に、モータ４０によりファン４１が回転駆動される。そして、混合室３７内に漂っている前記果物の香気（第２香気）がファン４１の回転により下流側管路４９と香気放出口３０を通過して機前側へ強制的に放出される。
【００４６】
そして、前記図柄表示装置２０でスーパーリーチ状態の表示演出が開始されてから所定時間が経過すると、主制御基板５０からは前記第２香剤収容室４３の香気供出口４５のシャッタ４６を閉鎖させるための信号が出力される。また、同時に前記切換弁３６を第１位置から第２位置へ移動させるための信号が出力される。そのため、機前側に残存して漂っている前記果物の香気（第２香気）が前記ファン４１の回転に基づく吸引力により香気回収口３１から上球皿１５内の上流側管路３５内に強制的に吸引・回収される。そして、以後同様に、吸引・回収された前記果物の香気（第２香気）はフィルタ装置３４を通過することで果物の香り付けが除去され、無臭の気体とされる。そして、前記ファン４１の回転による気流に従い、前記無臭の気体（空気）は連結管路４２、混合室３７、下流側管路４９及び香気放出口３０から機前側へ放出される。
【００４７】
このように、前記図柄表示装置２０で図柄組み合わせゲームが開始されると、図柄変動領域５１における図柄変動状況の変化内容に伴い機前側へ各種香気（第１香気、第２香気）が放出される。従って、図柄表示装置２０での図柄組み合わせゲーム開始に伴い、遊技者は、効果音による聴覚的効果やランプ点滅等による視覚的効果に加えて、図柄変動状況の変化に対応した各種香気（第１香気、第２香気）放出に伴う臭覚的効果により、ゲームへの興趣を高めることができる。その一方、機前側へ放出された各種香気（第１香気、第２香気）は各々が対応する図柄変動状況の表示演出終了に伴って、その都度、吸引回収される。従って、遊技者に対しては、前記各種香気（第１香気、第２香気）の放出に伴う臭覚的効果を常に新鮮な状態で提供可能とされる。
【００４８】
次に、前記始動入賞球の検出に基づき主制御基板５０において変動パターンＢ２が選択された場合の香気放出・回収に係る作用を説明する。この場合、図柄表示装置２０では、図柄変動が開始されると、前記変動パターンＢ１の場合と同様に、図柄変動領域５１で先ずリーチ状態が表示演出され（図５（ａ））、その後、リーチ状態から発展したスーパーリーチ状態が表示演出される（図５（ｂ））。従って、香気放出・回収装置では、これらリーチ状態及びスーパーリーチ状態の各表示演出の開始タイミングと終了タイミングに同期して、前記変動パターンＢ１の場合と同様に、花の香気（第１香気）及び果物の香気（第２香気）の放出及び吸引・回収の作動をする。
【００４９】
そして、この変動パターンＢ２では、前記スーパーリーチ状態の表示演出が終わり、果物の香気（第２香気）が吸引・回収されると、図柄表示装置２０の図柄変動領域５１において大当たり状態の表示演出がなされる（図５（ｃ））。すると、主制御基板５０からは、前記図柄表示装置２０での大当たり状態の表示演出に同期して、「花」と「果物」の各香気を発する香剤をそれぞれ収容した複数の香剤収容室（第１香剤収容室及び第２香剤収容室）４３のシャッタ４６をそれぞれ開放させるための信号が出力される。そのため、前記複数の香剤収容室４３の各香気供出口４５のシャッタ４６が一斉に開放動作されると共に、主制御基板５０からは前記各香剤収容室４３の各ヒータ４４を加熱状態とするための信号が出力される。
【００５０】
そして、当該各ヒータ４４が加熱されることで前記各香剤収容室４３からは、花の香気と果物の香気という異種の香気が混合室３７内へ流入して混ざり合い、より一層甘い香り付けがされたミックス香気（第３香気）が生成される。そして、以後は、前記花の香気（第１香気）及び果物の香気（第２香気）を放出した場合と同様に、前記貫通孔４７のシャッタ４８が開放駆動されると共にモータ４０によりファン４１が回転駆動される。そして、混合室３７内で混合生成された甘い香り付けのミックス香気（第３香気）がファン４１の回転により下流側管路４９と香気放出口３０を通過して機前側へ強制的に放出される。
【００５１】
そして、前記図柄表示装置２０での大当たり状態の表示演出が終わると、主制御基板５０からは前記各香剤収容室４３の香気供出口４５のシャッタ４６を全て閉鎖させるための信号が出力される。また、同時に前記切換弁３６を第１位置から第２位置へ移動させるための信号が出力される。そのため、機前側に残存して漂っている前記ミックス香気（第３香気）が前記ファン４１の回転に基づく吸引力により香気回収口３１から上球皿１５内の上流側管路３５内に強制的に吸引・回収される。そして、以後同様に、吸引・回収された前記ミックス香気（第３香気）は当該香気の香り付けがフィルタ装置３４を通過することで除去され、無臭の気体とされる。そして、前記ファン４１の回転による気流に従い、前記無臭の気体（空気）は連結管路４２、混合室３７、下流側管路４９及び香気放出口３０から機前側へ放出される。
【００５２】
従って、この場合も、遊技者は、前記変動パターンＢ１の場合と同様に、図柄表示装置２０での図柄組み合わせゲームの開始に伴い、前記聴覚的効果及び視覚的効果に加えて、背景変化の内容に対応した各種香気（第１〜第３香気）放出に伴う臭覚的効果により、ゲームへの興趣を高めることができる。しかも、この変動パターンＢ２の場合は、前記変動パターンＢ１の場合と異なり、大当たり状態が表示演出された際に、予め各香剤収容室４３に収容した各香剤に対応した各種香気（第１香気と第２香気）を混合して生成されたミックス香気（第３香気）が放出される。そのため、その複数回に亘る更なる異種の臭覚的効果により、遊技者は、ゲームに対してさらに一層興趣を抱くようになる。また、遊技者に対しては、前記変動パターンＢ１の場合と同様に、各香気（第１〜第３香気）を放出した際に、それぞれの香気放出に伴う臭覚的効果を常に新鮮な状態で提供可能とされる。
【００５３】
従って、上記実施形態の遊技機１０によれば、以下のような効果がある。
（１）上記実施形態では、互いに異種の香気（第１〜第３香気）を供出可能な複数（２つ）の香剤収容室４３からの香気供出状態を図柄表示装置２０での図柄組み合わせゲームにおける各図柄変動状況の変化（遊技状況の変化）に伴い調整するようにした。即ち、主制御基板５０により各香剤収容室４３からは選択的に１種類又は複数種類の香気が供出されるようにして各種遊技状況の変化に個別対応した多種多様な香気を香気放出口３０から機前側へ放出できるようにした。従って、これら各種香気を遊技者に嗅ぎ分けさせることにより、遊技機におけるゲームへの興趣をより一層高めることができる。
【００５４】
（２）上記実施形態では、各香剤収容室４３から同時に供出された異種の香気同士を香気放出口３０から放出する前段階で混合し得る混合室３７が設けられている。従って、香気放出口３０から放出される混合香気（ミックス香気）について効率良く確実に混合生成することができる。
【００５５】
（３）上記実施形態では、各香剤収容室４３にヒータ４４が設けられている。従って、そのヒータ４４を加熱状態とすることで香剤収容室４３内に収容されている香剤からの香気発生を促進することができ、香気放出口３０からは遊技者が明確に嗅ぎ分けできる程度に香りのはっきりした香気を確実に放出することができる。
【００５６】
（４）上記実施形態では、各香剤収容室４３の香気供出口４５に対して設けられた各シャッタ４６を主制御基板５０からの制御信号に基づき開閉制御することで、香気放出口３０から放出される各香気（及び混合香気）の種別・品質を調整している。従って、前記各シャッタ４６の開閉制御により放出される香気の種別・品質を明確に仕分け調整することができる。
【００５７】
（５）上記実施形態では、混合室３７内のファン４１をモータ４０の駆動力で回転させることにより香気放出・回収装置の各管路３５，４２，４９内等に気流を発生させている。従って、香気放出口３０から機前側への香気放出を迅速確実になし得る。また、同様に、機前側から遊技機周辺に残存して漂っている香気やタバコの紫煙を香気回収口３１から迅速確実に回収できる。
【００５８】
（６）上記実施形態では、切換弁３６を第２位置にすれば、香気放出口３０に対して香気回収口３１が各管路３５，４２，４９等を介して連通状態にされる。従って、機前側に残存して漂っている前回の遊技状況に対応した放出香気を前記ファン４１の回転に伴って香気回収口３１から回収することができる。よって、次回の遊技状況変化に伴い新たな異種の香気が機前側へ放出された際に遊技者が複数種の香気の混ざり合いにより戸惑いを感じるという事態の発生を確実に防止できる。
【００５９】
（７）上記実施形態では、香気回収口３１が灰皿１７ａの上方に位置対応しているため、遊技中に灰皿１７ａに置かれたタバコから立ち上る紫煙についても、前記香気回収口３１から回収できる。そして、回収されたタバコの匂いの付いた香気（気体）はフィルタ装置３４によりタバコの匂いが除去された後、香気放出口３０から機前側へ再放出される。従って、遊技機周辺の空気雰囲気を清浄にし得ると共に、香気放出時に必要とされる供給気体を効率よく確保できる。
【００６０】
（８）上記実施形態では、主制御基板５０からの制御信号に基づき各シャッタ４６，４８等が開放駆動されることによる香気放出のタイミングは、当該香気に対応づけされた遊技状況（例えば、図柄変動や背景変化）が開始するタイミングに合わせて設定されている。また、同様に、主制御基板５０からの制御信号に基づき各シャッタ４６，４８等が閉鎖駆動されると共に切換弁３６が第２位置へ移動されることによる香気回収のタイミングは、当該香気に対応づけされた遊技状況が終了するタイミングに合わせて設定されている。従って、遊技者は香気放出口３０からの香気放出により遊技状況が変化したことを嗅ぎ分けることができる一方、その放出された香気が回収されて機前側から消失することにより当該遊技状況が終了したことを嗅ぎ分けることができる。
【００６１】
（９）上記実施形態では、特に実施例１において、図柄表示装置２０の図柄変動領域５１の周りに表示演出される背景画５２の変化内容に対応して各種の香気（第１香気〜第３香気）が選択的に放出・回収されるようにした。即ち、背景画５２が花であれば、その花の香気を放出・回収し、背景画５２が果物であれば、その果物の香気を放出・回収するようにした。また、花と果物の両方が同時に表れる背景画５２の場合には、両者（花と果物）の香気を混合したミックス香気を放出・回収するようにした。従って、このように背景画５２と放出・回収される香気を五感的に関連付けすることにより、遊技者には、更にゲームへの興趣を抱かせることができる。
【００６２】
（１０）上記実施形態では、特に実施例２において、図柄表示装置２０の図柄変動領域５１における図柄変動状況（リーチ状態、スーパーリーチ状態、大当たり状態）に対応して各種の香気（第１香気〜第３香気）が選択的に放出・回収されるようにした。即ち、リーチ状態であれば第１香気のみを、スーパーリーチ状態であれば第２香気のみを、大当たり状態であれば第１香気と第２香気から混合生成した第３香気（ミックス香気）を放出・回収するようにした。従って、このように図柄変動状況の内容に応じて香気の放出・回収の回数・種別に違いを出すことにより、遊技者には、更にゲームへの興趣を抱かせることができる。
【００６３】
なお、上記実施形態は以下のような別例に変更してもよい。
・  上記実施形態では、実施例１，２において、主制御基板５０は２つの変動パターンを設定記憶した例を示したが、変動パターンの数は２つに限らず、１つでもよく、また３つ以上の他の複数でもよい。
【００６４】
・  上記実施形態の実施例１では、図柄表示装置２０での図柄変動領域５１の周りに表示演出される背景画５２の種別に応じて放出・回収される香気を調整していたが、香気の調整は背景画５２の種別に限定されない。即ち、背景画５２の動きの違いや登場するキャラクタの種別などに基づき適宜に変更してもよい。
【００６５】
・  上記実施形態の実施例２では、図柄表示装置２０での図柄変動領域５１の図柄変動状況（リーチ状態、スーパーリーチ状態、大当たり状態）に応じて放出・回収される香気を調整していたが、香気の調整は例えば図柄の変動速度が変わる別のスーパーリーチ状態などその他の図柄変動状況に応じて調整してもよい。
【００６６】
・  上記実施形態では、上流側管路３５を平面視Ｔ字状をなす一つの管路で構成していたが、前記上流側管路３５は平面視Ｌ字状をなす二つの管路により構成してもよい。即ち、一つのＬ字状管路にて気体供給口３２とフィルタ装置３４との間を接続し、もう一つのＬ字状管路にて香気回収口３１とフィルタ装置３４との間を接続してもよい。
【００６７】
・  上記実施形態では、香気放出装置としての構成内容においてモータ４０により回転駆動されるファン４１を混合室３７内に備えていたが、モータ４０及びファン４１は必ずしもなくてよい。即ち、香気放出に際しては各シャッタ４６，４８を開放状態にすることで自然な気流の流れで香気が香気放出口３０から放出されるようにしてもよい。
【００６８】
・  上記実施形態では、混合室３７内に一つのファン４１を備えていたが、各香剤収容室４３内にそれぞれファン４１を設けることで、混合室３７内のファン４１は省略してもよい。また、この場合には各香剤収容室４３の香気供出口４５に設けられている各シャッタ４６を省略し、前記各香剤収容室４３内の各ファン４１を個別に選択して回転駆動させることにより、香気放出口３０から放出される香気の調整を行うようにしてもよい。
【００６９】
・  上記実施形態では、各香剤収容室４３内に香剤を収容すると共に当該香剤からの香気発生を促進するためにヒータ４４が設けられていた。しかし、ヒータ４４は必ずしも必要でない。また、各香剤収容室４３内には香剤に代えて香気を噴射可能なボンベを収容し、それら各ボンベからの香気噴射を噴射口に位置対応して設けられたソレノイドの励磁及び消磁制御により調整する構成でもよい。
【００７０】
・  上記実施形態では、各香剤収容室４３から供出された各香気は混合室３７に一旦流入する構成とされていたが、混合室３７を設けずに各香剤収容室４３と香気放出口３０との間を複数の下流側管路４９により個別に接続するようにしてもよい。
【００７１】
・  上記実施形態では、複数（２つ）の香剤収容室４３を備え、各室４３から個別に香気を供出させる場合と、複数（２つ）の香剤収容室４３から同時に異種の香気を供出させて新規な香気を混合生成する場合とを有する香気放出態様とした。しかし、例えば香剤収容室４３を多数設けるなどして、一回の香気放出時に香気を供出する香剤収容室４３は一つだけとなる選択制御にしてもよい。
【００７２】
・  上記実施形態では、香気回収口３１から回収された機前側からの残存香気及び紫煙等はフィルタ装置３４にて清浄な気体とされた後、再び香気放出口３０から機前側へ放出される構成となっていた。しかし、香気回収口３１からの回収気体（残存香気や紫煙等）は別途に設けた排出管路を介して機裏側等へ排出する構成としてもよい。
【００７３】
・  上記実施形態では、気流発生手段としてのファン４１が混合室３７に配設されていたが、ファン４１はフィルタ装置３４と混合室３７の間に位置するように連結管路４２の途中に配設してもよい。要するに、当該ファン４１が回転することにより気体供給口３２と香気放出口３０との間（及び香気回収口３１と香気放出口３０との間）に上流側から下流側へ向けて気流の流れが発生する構成ならば、下流側管路４９の途中など他の箇所に配設してもよい。
【００７４】
・  上記実施形態では、香気放出のタイミング及び香気回収のタイミングが図柄変動状況や背景画５２の変化のタイミング（即ち、遊技状況の変化開始及び終了タイミング）に合わせて設定されていた。しかし、各種に変化する遊技状況に対応して香気が放出・回収される構成ならば、当該遊技状況の変化との関係で予め時間的に各タイミングをずらせて設定してもよい。
【００７５】
・  上記実施形態では、図柄表示装置２０における表示演出内容の変化を遊技状況の変化として捉えて香気の放出を行う構成としたが、これに加えて又はこれに代えて、機前側の各ランプ２２の点滅変化状態を遊技状況の変化として捉えてもよい。例えば、主制御基板５０からの信号に基づくランプ制御基板２１からのランプ制御信号により各ランプ２２が爆発を表現するような激しい点滅動作をしているときに火薬の匂いがする香気を放出する等、ランプ点滅変化状態に対応して香気の放出・回収制御を行ってもよい。
【００７６】
・  上記実施形態では、図柄表示装置２０における表示演出内容の変化を遊技状況の変化として捉えて香気の放出を行う構成としたが、これに加えて又はこれに代えて、各種の効果音を発するスピーカ２５からの効果音の変化を遊技状況の変化として捉えてもよい。例えば、主制御基板５０からの信号に基づく音声制御基板２４からの音声制御信号により各スピーカ２５から海の岩場に波が砕け散るような音が発せられているときに磯の香りがする香気を放出する等、スピーカ２５から発せられる効果音の変化状態に対応して香気の放出制御を行ってもよい。
【００７７】
・  上記実施形態では、気体清浄手段としてフィルタ装置３４を採用したが、その他には活性炭式、オゾン式、プラズマ式、イオン式等の各種方式による空気清浄機等を採用することも可能である。また、制御部は主制御基板５０に限らず、他に香気の放出・回収を制御する制御基板を別途に設けてもよい。
【００７８】
・  上記実施形態では、香気放出・回収装置がケーシング構造をなして内部が中空状をなす上球皿１５内に配設されていたが、配設位置は遮蔽板１８の裏面側に形成されたスペース等、遊技機１０の他の空間形成部位でもよい。
【００７９】
・  上記実施形態では、遊技機１０に対し香気放出・回収装置が１基だけ設けられていたが、香気放出装置と香気回収装置とを別々に構成して夫々を別位置に配設するようにしてもよい。また、遊技機１０における複数箇所に対して複数基の香気放出・回収装置を配設するようにしてもよい。また、放出される香気には着色を施すようにしてもよい。このようにすれば、香気放出に伴い、臭覚的効果だけでなく、視覚的な効果を更に付加することができる。
【００８０】
次に、上記実施形態及び別例から把握できる技術的思想について追記する。
（１）前記各香気供出部から供出された複数種類の香気を混合するための香気混合手段を更に備えた。
【００８１】
（２）前記香気品質調整手段は、前記各香気供出部毎に設けられた香気供出口をそれぞれ開閉する供出口開閉機構と、当該各供出口開閉機構の開閉動作を遊技状況の変化に伴い選択的に制御する制御部とを含んで構成されている。
【００８２】
【発明の効果】
本発明によれば、遊技者に対して香気放出による臭覚的効果を常に新鮮な状態で与えることができる。
【図面の簡単な説明】
【図１】  パチンコ遊技機を機前側からみた正面図。
【図２】  上球皿の内部構成を示す平断面図。
【図３】  香気放出・回収に関係する制御構成のブロック図。
【図４】  （ａ）〜（ｃ）は、実施例１の香気放出・回収制御に係る図柄表示装置での背景変化内容を示す説明図。
【図５】  （ａ）〜（ｃ）は、実施例２の香気放出・回収制御に係る図柄表示装置での図柄変動状況を示す説明図。
【符号の説明】
１０…パチンコ遊技機、１５…上球皿、３０…香気放出口、３１…香気回収口、３４…フィルタ装置（気体清浄手段）、３７…混合室（香気混合手段）、４１…ファン（気流発生手段、及び、香気混合手段）、４３…香剤収容室（香気供出部）、４４…ヒータ（香気供出機能促進手段）、４５…香気供出口、４６…シャッタ（開閉装置）、５０…主制御基板（制御部）。
【図１】
0004084067.tif 000002
【図２】
0004084067.tif 000003
【図３】
0004084067.tif 000004
【図４】
0004084067.tif 000005
【図５】
0004084067.tif 000006